(57)【要約】【課題】  乳牛等の搾乳動物における乳房炎や乳頭炎といった乳頭（乳房）の炎症を治療或いは予防することのできる乳頭保護材料、乳頭保護材料製品を提供すること、並びに搾乳動物乳頭部の炎症の防止，治療方法を提供することを目的とする。【解決手段】  乳頭保護材料１０は、防水性を示し且つ切断時伸び率が１００％以上である可撓性フィルム１１の肌側面に、感圧接着剤層１４が設けられたものである。泌乳期において、搾乳動物（例えば乳牛）の乳頭１５にその先端部分１７を残して乳頭保護材料１０を貼付する。乾乳期において、乳頭保護材料１０を搾乳動物の乳頭１５全体に貼付する。【選択図】      図３
2006129795.tif 000002
【特許請求の範囲】
【請求項１】
防水性を示し、且つＪＩＳ  Ｋ  ６２５１（引張速度500mm/min.）で求められる切断時の伸び率が１００％以上である可撓性フィルムからなり、巻付固定が可能であることを特徴とする家畜用乳頭保護材料。
【請求項２】
防水性を示し、且つＪＩＳ  Ｋ  ６２５１（引張速度500mm/min.）で求められる切断時の伸び率が１００％以上である可撓性フィルムを基材フィルムとして用い、
該フィルムの肌側面に感圧接着剤層が設けられたものであることを特徴とする家畜用乳頭保護材料。
【請求項３】
前記フィルムの厚みが１００μｍ以下である請求項１または２に記載の家畜用乳頭保護材料。
【請求項４】
前記フィルムがエラストマー素材からなる請求項１〜３のいずれかに記載の家畜用乳頭保護材料。
【請求項５】
前記エラストマーがポリウレタンからなる請求項４に記載の家畜用乳頭保護材料。
【請求項６】
前記フィルムが着色されたものである請求項１〜５のいずれかに記載の家畜用乳頭保護材料。
【請求項７】
前記家畜用乳頭保護材料は、ＡＳＴＭ  Ｅ  ９６  Ｅ法で求められる透湿度が、５００g/m2・24hr.以上である請求項１〜６のいずれかに記載の家畜用乳頭保護材料。
【請求項８】
請求項１〜７のいずれかに記載の家畜用乳頭保護材料と、該乳頭保護材料の肌側面に重ねられる離型テープと、前記乳頭保護材料の外側面に重ねられる保持テープとを備えた積層構造を呈し、
前記家畜用乳頭保護材料の外形が、短軸７．５〜１００mm，長軸３０〜２００mmの四角形ないし楕円形であることを特徴とする家畜用乳頭保護材料製品。
【請求項９】
請求項１〜７のいずれかに記載の家畜用乳頭保護材料を、泌乳期において、搾乳動物の乳頭に該乳頭の先端部分を残して貼付することを特徴とする搾乳動物乳頭部の炎症の防止，治療方法。
【請求項１０】
請求項１〜７のいずれかに記載の家畜用乳頭保護材料を、乾乳期において、搾乳動物の乳頭全体に貼付することを特徴とする搾乳動物乳頭部の炎症の防止，治療方法。
【発明の詳細な説明】
【技術分野】
【０００１】
本発明は、牛や山羊等の搾乳動物における乳房炎や乳頭炎といった炎症を予防もしくは治療する為の家畜用乳頭保護材料、及び家畜用乳頭保護材料製品、並びに搾乳動物乳頭部の炎症の防止，治療方法に関するものである。
【背景技術】
【０００２】
乳牛の疾病で最も問題視されているものとしては乳房炎が挙げられ、重症になると廃用牛にせざるを得ず、毎年、廃用牛理由の１位或いは２位となっている。また廃用牛に至らないまでも、乳房炎になると乳量の低下や乳成分の劣化を生じ、加えて乳房炎に対して抗生物質による治療を行っている期間は法規制により乳を出荷できず、酪農家にとって経済的打撃が大きい。
【０００３】
乳房炎の主な原因は乳頭口からの細菌の侵入であることから、その対策として飼育環境を清潔に保ち、搾乳に際して乳頭を消毒するということが行われているが、これだけでは予防や治療に限界がある。
【０００４】
そこで従来では、従来例[1]：乳房全体を布地で覆ったり（例えば特許文献１，２参照）、或いは乳牛の乳頭のみを包帯で覆うといった布帛で保護する手法や、従来例[2]：乳頭をポリマー溶解液に浸漬して被膜を形成したり（例えば特許文献３参照）、或いは乳頭にポリマー溶解液を噴霧することにより被膜を形成するといった樹脂被膜を形成する手法、また従来例[3]：乳頭にゴム製キャップを装着する手法（例えば特許文献４参照）が提案されている。
【特許文献１】実公昭４９−２５５１号公報（例えば図面）
【特許文献２】実公昭４９−８４６１号公報（例えば第１，２図）
【特許文献３】特開２０００−４１５２９号公報（例えば請求項１、段落〔００３１〕〜〔００３２〕）
【特許文献４】実公昭４９−２５５０号公報（例えば第１〜５図）
【発明の開示】
【発明が解決しようとする課題】
【０００５】
しかし乳牛はしばしば湿った土の上に横臥することから、上記従来例[1]の様に布帛では土の湿気が染み込み、この為に細菌の侵入を防ぎきれない。加えて乳房全体を覆う布帛では装着が煩雑である上、大きな装着物であることから群れの中で他の牛と接触する等した際に引っ掛かって事故につながる可能性がある。
【０００６】
従来例[2]では、ポリマー溶解液の溶媒が気化して被膜が形成されるまでの間、乳牛が動かない様にしなければ、良好な被膜を形成できない。そこで速く被膜形成できる様に速乾性の溶媒を用いた場合には、取り扱いが難しくなる。また形成した被膜がひび割れて剥がれ落ちる虞があり、しかも剥がれた箇所が分かり難いので、剥がれたことが分からずに放置することになりかねない。加えて噴霧による手法では、垂れ下がった乳頭に対して噴霧する手法である為に操作性が悪く、また均一な被膜を形成し難い。更に泌乳期では、乳頭口を覆った被膜を搾乳の度毎に一旦剥がし、搾乳後に浸漬或いは噴霧し直す必要があり、搾乳は１日に朝夕２度行われることから、作業が非常に煩雑となり、酪農家の負担が大きい。
【０００７】
従来例[3]においては、上記キャップを乳頭に密着させる為に、帯で牛の胴回りに留める必要があり、上記と同様にこの帯が他の牛等に引っ掛かって事故につながる虞がある。また帯を用いずにキャップの弾性力によって乳頭に装着する手法も考えられるが、牛の乳頭は略円錐形であるから落ち易く、しっかりと装着するにはキャップリブ部分によってかなり強い弾性力で締め付けなければならず、現実的でない。
【０００８】
以上の様に従来の手法では必ずしも満足のいくものではない。
【０００９】
ところで、乳房炎を発症せずとも、乳頭部分に傷を負うと、搾乳時に牛が痛みを感じて、泌乳を促進するホルモンの分泌が低下し、この為に乳量が減少し、また乳成分の劣化を生じることがある。乳頭に傷を負う原因としては、牛が横臥姿勢から立ち上がるときに自らの蹄で踏んで負傷する場合や、搾乳操作によって皮膚が荒れる場合等がある。またこの様に乳頭が損傷すると、損傷箇所から細菌が侵入して乳房炎や乳頭炎を引き起こすことにも繋がる。従って乳房炎が発症していないときであっても、予防策を講じることが望ましい。
【００１０】
そこで本発明は上述の事情に鑑みてなされたものであって、その目的は、乳牛等の搾乳動物における乳房炎や乳頭炎といった乳頭（乳房）の炎症を治療或いは予防することのできる家畜用乳頭保護材料、また家畜用乳頭保護材料製品を提供すること、並びに搾乳動物乳頭部の炎症の防止，治療方法を提供することにある。
【課題を解決するための手段】
【００１１】
本発明に係る家畜用乳頭保護材料は、防水性を示し、且つＪＩＳ  Ｋ  ６２５１（引張速度500mm/min.）で求められる切断時の伸び率が１００％以上である可撓性フィルムからなり、巻付固定が可能であることを特徴とする。尚この巻付固定としては、フィルムが自身に接着可能なものや（自着性フィルム）、フィルムの一方面に接着剤層を設けたもの等が挙げられる。
【００１２】
また本発明に係る家畜用乳頭保護材料は、防水性を示し、且つＪＩＳ  Ｋ  ６２５１（引張速度500mm/min.）で求められる切断時の伸び率が１００％以上である可撓性フィルムを基材フィルムとして用い、該フィルムの肌側面に感圧接着剤層が設けられたものであることを特徴とする。
【００１３】
そして本発明に係る搾乳動物乳頭部の炎症の防止，治療方法は、前記家畜用乳頭保護材料を、泌乳期において、搾乳動物の乳頭に該乳頭の先端部分を残して貼付することを特徴とする。また乾乳期において、前記家畜用乳頭保護材料を搾乳動物の乳頭全体に貼付することを特徴とする。尚泌乳期とは子を産んだ後の乳を分泌している期間で、乾乳期とは乳の分泌が停止している期間であり、通常酪農家は乳牛に定期的に出産させて採乳を図る。
【００１４】
上記乳頭保護材料は、搾乳動物（乳牛等）の乳頭に巻き付ける様に貼り付けて用いるものであり、この際、例えば上記感圧接着剤層を備えた乳頭保護材料では、感圧接着剤によりしっかりと貼り付けられて容易に剥がれない。また自着性フィルムからなる乳頭保護材料では、巻き付けられて重なった部分において該フィルム同士が貼り付いて容易に剥がれない。尚貼り付け手法として、乳頭に巻き付けた乳頭保護材料の一方端部分を他方端部分に上から重ねる様に巻き重ねる手法の他、乳頭保護材料の両端部分を合掌させる様にして貼り付けても良い。感圧接着剤層を備えた乳頭保護材料にあっては、該保護材料同士を重ねずに、乳頭に対する感圧接着剤による接着力のみで貼り付けても良い。
【００１５】
そしてこの様に乳頭保護材料を巻くことで乳頭が保護されて傷を負い難くなり、また一旦損傷を負った乳頭であっても、新たに擦れたり傷ついたりし難いから、既に負った傷が円滑に治癒する。加えてこの様に物理的に傷を負い難いだけでなく、上記の通り防水性を有するので、該乳頭保護材料を細菌が透過し難く、従って乳頭に傷を負っていても、細菌の侵入により生じる炎症を予防することができる。
【００１６】
尚従来例[3]の様なキャップの場合は成形品である為に、例えば用途を乳牛に限ったとしても、乳頭のサイズには個体差が大きいから、様々なサイズのものを準備する必要があるが、本発明の乳頭保護材料は平板状であってこれを巻き付けるものであるから、１種類の乳頭保護材料で様々な乳頭の大きさ，形に合わせて貼り付けることが可能である。また本発明の乳頭保護材料は、乳頭側面に沿う様に巻き付けることができることから、乳頭側面全体に対して摩擦力が働き、これにより上記従来例[3]のキャップの様に乳頭基部へ強い弾性力で締め付けなくても、その摩擦力によって容易には外れない。更に感圧接着剤層を備えた乳頭保護材料の場合はその感圧接着剤の貼着力によって乳頭にしっかりと貼り付き、容易には外れない。
【００１７】
また上記フィルムは伸び率が１００％以上で可撓性を示すから、乳頭に良好にフィットする。例えば乳牛の場合において乳が張っているときと張っていないときでは、乳頭の直径で２〜３割程度（円周で１５〜２０mm程度）の変動があるが、本発明の乳頭保護材料は良好な伸縮性を示すので、乳頭の大きさの変動に追従して伸び縮みでき、良好なフィット性を保つ。この乳頭の変動に対する追従の観点から、伸び率としては５００％以上であることがより好ましい。
【００１８】
加えて上記フィルムの引張弾性率（ＪＩＳ  Ｋ  ６２５１）が６０MPa以下であることが好ましい。低弾性率のフィルムであれば、乳頭の大きさの変動に対して良好に追従し、搾乳動物に不快感を与えることが殆どなく、また乳頭表面に追従することから、脱落する虞が少ない。
【００１９】
本発明の乳頭保護材料は、上述の様に乳頭にしっかりと貼り付き且つ良好なフィット性を示すから、該乳頭保護材料を乳頭に貼り付けた上から搾乳機を装着することも可能である。従って搾乳の都度張り替える必要がなく、数日間或いは数週間貼り続けることができる。
【００２０】
更に前記フィルムの厚みを１００μｍ以下とするのが好ましい。この様にフィルムが薄ければ、自着性フィルムのみから構成される乳頭保護材料の場合だけでなく、感圧接着剤層を設けた乳頭保護材料等であっても、乳頭保護材料全体として薄いものとなるから、乳頭へのフィット性が一層良好となる。より好ましくは７５μｍ以下である。一方、あまりに薄すぎると強度が弱くなって破れる懸念があるから、２５μｍ以上が好ましい。
【００２１】
上記フィルムとしてはエラストマー素材からなるものが好ましく、フィット性に優れた乳頭保護材料となるからである。更にエラストマーとしてはポリウレタンがより好ましい。
【００２２】
加えて前記乳頭保護材料は、ＡＳＴＭ（米国材料試験協会）  Ｅ  ９６  Ｅ法で求められる透湿度が５００g/m2・24hr.以上であることが好ましい。この様に透湿度が５００g/m2・24hr.以上であれば、長期間貼り続けていても乳頭が蒸れることが殆どない。一方で透湿度の非常に高いフィルムは高価であることから、コストの観点より乳頭保護材料として透湿度１２００g/m2・24hr.以下のものを採用するのが良い。
【００２３】
ところで本発明の乳頭保護材料は、該保護材料を貼付した乳頭が脚に擦れたり地面に擦れたりして、端から剥がれることが考えられるものの、従来例[2]の様にひび割れて欠けることがないので、搾乳した乳に欠片が混入する懸念がない。従って泌乳期には、上記の様に乳頭口を避けて乳頭保護材料を貼付することで、該乳頭保護材料を貼付したまま搾乳が可能であり、加えて乳頭保護材料によって乳頭側面部分が保護されるから、乳頭の大方の部分で搾乳操作による擦れを直接受けず、乳頭を痛めることが殆どない。また乳房炎治療中であっても泌乳されているので搾乳を行う必要があるところ、従来ではこの搾乳操作によって創部が刺激され、治癒の遅れを招くことになっていたが、上述の様に乳頭を保護しつつ搾乳可能であるから、治癒が円滑に進むことが期待できる。尚乳頭口には乳頭保護材料が貼られていないが、乳頭口は日々乳が排出されて細菌が停滞しないから、殆ど炎症につながらない。
【００２４】
また乾乳期には通常乳頭口が閉じているので、該乳頭口から細菌が侵入する虞が少ないものの、乾乳期の初期においては、採乳を中止しても乳頭口が直ぐに閉じる訳ではなく、数日間をかけて閉じていく為にしばらくは乳頭口が開いたままであり、また分娩間近の時期も乳頭口が開いているから、例えば飼育舎が糞便等で汚染されていると、乳頭口より乳房内に炎症起因菌が侵入し、乳房炎を発症する虞がある。しかし、上述の様に乳頭保護材料を搾乳動物の乳頭全体に貼付することにより、菌の侵入を防止できる。
【００２５】
なお本発明の乳頭保護材料として、前記フィルムが着色（乳頭の色とは異なる色、例えば青等）されたものを用いることにより、該保護材料が剥がれた場合にもその剥がれた部分が分かり易く、従って適宜張り替えることができる。
【００２６】
また本発明に係る家畜用乳頭保護材料製品は、前記家畜用乳頭保護材料と、該乳頭保護材料の肌側面に重ねられる離型テープと、前記乳頭保護材料の外側面に重ねられる保持テープとを備えた積層構造を呈し、前記家畜用乳頭保護材料の外形が、短軸７．５〜１００mm，長軸３０〜２００mmの四角形ないし楕円形であることを特徴とする。尚「四角形ないし楕円形」とは、角張った四角形、角が円弧状等の各種形状に面取りされた四角形、楕円形（円形を含む）等のことである。また四角形としては正方形，長方形の他、台形，菱形等も含まれることは言うまでもない。
【００２７】
上記の如く乳頭保護材料は薄く柔らかいものであり、これだけでは乳頭への貼付操作をし難いが、上記家畜用乳頭保護材料製品の如く、離型テープと保持テープに挟むことによって取り扱いが良好となる。貼付に際しては、先ず離型テープを剥がして乳頭に貼り付け、次いで保持テープを剥がすと良い。
【００２８】
加えて上記の様に乳頭保護材料が縦７．５〜１００mm，横３０〜２００mmの四角形であれば、乳牛の乳頭のサイズに適した大きさであるので、貼り付け操作が簡便である。
【発明の効果】
【００２９】
本発明に係る家畜用乳頭保護材料によれば、該保護材料を搾乳動物（乳牛等）の乳頭に貼付することにより、乳頭（乳房）の炎症を治療或いは予防することができ、しかも貼付したままの搾乳も可能であるから、搾乳の度毎に張り替え操作を行う必要がなく、貼り続けることができて作業が煩雑でない。加えて本発明ではテープを貼るという簡単な操作で済む。また本発明の乳頭保護材料は牛の胴回りに取り付ける様な大きな装着物ではないから、他の牛等と接触して引っ掛かるということもない。
【００３０】
そして本発明の搾乳動物乳頭部の炎症の防止，治療方法の如く、泌乳期において搾乳動物の乳頭に該乳頭の先端部分を残して上記乳頭保護材料を貼付することにより、貼付したまま搾乳が可能で、搾乳操作による擦れを直接受けることも少なく、乳頭炎等の治癒が円滑に進行することが期待できる。また乾乳期において乳頭保護材料を搾乳動物の乳頭全体に貼付することにより、乳頭口からの菌の侵入も防止でき、炎症の予防，治療を図ることができる。
【００３１】
また本発明に係る家畜用乳頭保護材料製品によれば、上記家畜用乳頭保護材料が薄いものでありながらも、乳頭への貼付に際しての取り扱い性が良い。
【発明を実施するための最良の形態】
【００３２】
＜実施形態１＞
図１は本発明の実施形態１に係る家畜用乳頭保護材料製品２０の断面図（図２に示すｂＢ−Ｂ線断面）で、図２はその平面図である。また図３はこの乳頭保護材料製品２０における家畜用乳頭保護材料１０を牛の乳頭１５に貼付した様子を表す図で、（ａ）における右側の乳頭１５には乳頭保護材料１０が貼付され、左側の乳頭１５には貼付されていない状態を表している。また図３の（ｂ）は乳頭保護材料１０を貼付した乳頭１５を表す拡大図である。図４はこの乳頭保護材料１０を貼付した乳牛３０の全体図である。
【００３３】
図１に示す様に、乳頭保護材料１０は可撓性フィルム１１の肌側面に感圧接着剤（感圧接着剤層１４）が塗布されたものである。そしてこの乳頭保護材料１０の肌側面（感圧接着剤層１４側面）に離型テープ１３が重ねられ、また乳頭保護材料１０の外側面に保持テープ１２が重ねられて乳頭保護材料製品２０が構成されている。上記保持テープ１２はその一方端部分が乳頭保護材料１０よりはみ出しており、更に上記離型テープ１３はその一方端部分が乳頭保護材料１０と保持テープ１２の積層体（以下、保護材料・保持テープ積層体１０，１２と称することがある）よりはみ出しており、乳頭１５へ貼り付ける際に離型テープ１３，保持テープ１２を順次剥がし易くなっている。
【００３４】
乳頭保護材料１０は縦（Ｗ）４０mm×横（Ｌ）７５mmの長方形であり、厚みが４２μｍで、透湿度が５８０g/m2・24hr.（ＡＳＴＭ  Ｅ  ９６  Ｅ法）である。フィルム１１は無色透明のポリウレタンからなり、防水性を示す可撓性フィルムであって、その厚みが２５μｍで、切断時の伸び率が９２７％（ＪＩＳ  Ｋ  ６２５１（引張速度500mm/min.））、透湿度が８００g/m2/24hr.（ＡＳＴＭ  Ｅ  ９６  Ｅ法）である。感圧接着剤層１４の感圧接着剤は、主成分をアクリル系共重合体とするアクリル系感圧接着剤であり、細胞毒性，感作性，刺激性について安全性が確認されたものである。
【００３５】
先ず乳頭保護材料製品２０の離型テープ１３を剥がし、乳牛３０の乳頭１５に対してその先端部分１７を残して貼り付ける。続いて貼り付けた保護材料・保持テープ積層体１０，１２から保持テープ１２を剥がし、乳頭保護材料１０のみを乳頭１５に貼り付けた状態とする（図３）。このとき乳頭保護材料１０より保持テープ１２が張り出しているので、この張り出し部を摘むことで保持テープ１２を容易に剥離することができる（図１，２）。尚乳頭１５の外周よりも乳頭保護材料１０の長さが長く、巻き付けた際に乳頭保護材料１０の端部分が重なる場合には、保護材料・保持テープ積層体１０，１２を貼る際に重なりの下側の保持テープ１２を剥がしながら上側の乳頭保護材料１０端部分を貼り付ける様にすると良い。
【００３６】
図４から分かる様に、本実施形態の乳頭保護材料１０を使用した乳牛３０は、大きな装着物を付けている訳ではないので、群れの中にいても他の牛と接触して装着物が引っ掛かるということがない。尚図３，４中、１６は乳房である。
【００３７】
また乳頭保護材料１０は感圧接着剤層１４によってしっかりと貼り付き、また可撓性で良好な伸縮性を示す上、薄いことから、乳頭１５に良好にフィットし、この乳頭保護材料１０の上から搾乳機を装着して搾乳することが可能である。従って搾乳の度に乳頭保護材料１０を張り替える必要が無く、手間があまり掛からない。
【００３８】
そして乳頭保護材料１０を貼付することにより、乳頭１５は保護されて、外からの擦れ等の刺激を直接受けないから、傷を負う懸念が少なく、また既に傷を負っている場合も治癒が円滑に進行する。
【００３９】
次に乳牛に対し、乾乳期において使用する方法について説明する。
【００４０】
乳頭保護材料製品２０から離型テープ１３を剥がし、乳牛３０の乳頭１５全体に対して貼り付ける。続いて上記と同様にこの保護材料・保持テープ積層体１０，１２から保持テープ１２を剥がして乳頭保護材料１０のみを貼り付けた状態とする。
【００４１】
乳頭保護材料１０を乳頭１５に貼付することにより、上記と同じく乳頭１５に傷を負う懸念が少なく、また既にある傷の治癒が円滑に進む。加えて乳頭保護材料１０は大きな装着物と違って、他の牛と接触して引っ掛かるということがない。
【００４２】
＜実施形態２＞
図５は本発明の実施形態２に係る家畜用乳頭保護材料製品４０の断面図である。
【００４３】
本実施形態２の乳頭保護材料３１は、ポリウレタン製の可撓性フィルムのみからなり、自身に貼着可能なものであって、感圧接着剤は設けられていない。乳頭保護材料製品４０はこの乳頭保護材料３１の肌側面に離型テープ１３が重ねられ、また外側面に保持テープ１２が重ねられたものである。
【００４４】
乳頭保護材料３１は防水性を示すものであって、その厚みが２５μｍで、切断時の伸び率が９２７％（ＪＩＳ  Ｋ  ６２５１（引張速度500mm/min.））、弾性率が１３．３MPa、透湿度が５８０g/m2・24hr.（ＡＳＴＭ  Ｅ  ９６  Ｅ法）である。また乳頭保護材料３１の長さは乳頭１５の外周よりも長くなっている。
【００４５】
本実施形態２の乳頭保護材料３１を乳頭１５に貼り付けるにあたっては、先ず乳頭保護材料製品４０の離型テープ１３を剥がし、乳頭１５に巻き付けながら保持テープ１２を剥がす。このとき、乳頭保護材料３１の一方端部分を、巻き付けた他方端部分に重ねる様にして自着させる。
【００４６】
＜実施形態３〜５＞
図６，８，１０（ａ）は本発明の実施形態３〜５に係る家畜用乳頭保護材料製品５０，６０，７０の平面図であり、図１０（ｂ）は図１０（ａ）に示すＡ−Ａ線断面図である。また図７は実施形態３、図９は実施形態４、図１１は実施形態５におけるそれぞれ乳頭保護材料１０、保持テープ１２、離型テープ１３を表す平面図であって、それぞれ（ａ）は保持テープ１２、（ｂ）は乳頭保護材料１０、（ｃ）は離型テープ１３である。
【００４７】
乳頭保護材料製品５０，６０，７０の保持テープ１２には切れ目１２ｂが入れられており、この切れ目１２ｂで保持テープ１２が左右に分かれて剥がし易い様になっている。更に実施形態３の乳頭保護材料製品５０では保持テープ１２の両端に突出部１２ａが形成されており、この突出部を摘んで剥がし易くなっている。また実施形態４の乳頭保護材料製品６０では離型テープ１３にも切れ目１３ｂが入れられており、この切れ目１３ｂで離型テープ１３を左右に分けて剥がし易い様になっている。実施形態５の乳頭保護材料製品７０では、保持テープ１２における左右（切れ目１２ｂを境として左右と称する）の中程が空いて、乳頭保護材料１０の裏面が露出したものとなっている。
【００４８】
また乳頭保護材料製品５０，６０，７０の乳頭保護材料１０及び保持テープ１２は角が面取りされてものとなっている。乳頭１５に乳頭保護材料１０を貼着した状態のとき、乳頭保護材料１０に角部分があると、この角部分を起点として剥がれ始める虞があるが、図に示す様に実施形態３，４，５の乳頭保護材料１０は角が丸くなっているから、起点となる部分がなく、剥がれ始めるということが生じ難い。
【００４９】
尚実施形態３，４，５の乳頭保護材料製品５０，６０，７０は上記の如くの外観形状を除いて、実施形態１と同様の構成である。
【００５０】
以上の様に、本発明に関して例を示す図面を参照しつつ具体的に説明したが、本発明はもとより図示例に限定される訳ではなく、前・後記の趣旨に適合し得る範囲で適当に変更を加えて実施することも可能であり、それらはいずれも本発明の技術的範囲に包含される。
【００５１】
例えば可撓性フィルム１１の厚みとしては上記の他、３０μｍ，５０μｍ等であっても良く、またフィルム１１における切断時の伸び率としては上記の他、例えば７２７％，２１９１％，１２５３％，９７７％，１１５９％，９４０％についても検討したところ、乳頭保護材料として使用できる。
【００５２】
乳牛の乳頭の大きさは個体差があるが、乳頭保護材料製品２０，５０，６０（乳頭保護材料１０）として大凡４０mm×７０mmと７０mm×７０mmの２種類を準備すれば、大抵の乳牛に適用可能である。
【００５３】
また例えば上記実施形態１の乳頭保護材料１０における感圧接着剤層１４として、感圧接着剤に消毒液を混合したものを用いても良く、乳頭保護材料１０を貼り付けた際に乳頭の消毒作用も兼ねることができる。また乳頭表面の皮膚角質損傷の保護を目的として保湿剤を含有しても良い。この様に種々の外用剤を含有させれば、乳頭に対するその効用の発揮が期待できる。
【００５４】
また感圧接着剤としては上記のアクリル系感圧接着剤の他、ゴム系感圧接着剤、シリコーン系感圧接着剤等が挙げられる。
【００５５】
＜実験１：実施形態１の乳頭保護材料１０と他のテープとの比較＞
上記実施形態１に示す構成の乳頭保護材料１０の２種類（試料No.１，２）と、クラフトテープ（試料No.３）について、各種特性を測定したところ下記表１の通りであった。
【００５６】
【表１】
2006129795.tif 000003
【００５７】
これらについて乳牛の乳頭に貼付したところ、試料No.３ではあまり伸びない為に、乳の張りによる乳頭の膨張に追従できず、乳牛に不快感を与えるものであった。これに対して試料No.１，２のものは乳頭のサイズの変化に追従して伸び、しかも乳頭をあまり締め付けることなく伸びるので搾乳動物に不快感を与えない。また厚みも薄いので、搾乳機を乳頭に装着するときに、乳頭保護材料（試料No.１，２）の上から抵抗感がなくスムーズに装着できた。
【００５８】
＜実験２：貼付状態の保持性についての検討＞
健常な乳頭を有する乳牛（ホルスタイン種）に対し、その日の搾乳前において乳頭に上記試料No.１（乳頭保護材料１０）、試料No.３を貼付した。１日目及び２日目においてそれぞれ朝夕２回の搾乳を行った。２日目の搾乳を終えた後に観察したところ、試料No.１の乳頭保護材料１０は脱落せず、また端から捲れることもなく、貼付されたままであった。従って本発明ではたとえ搾乳を繰り返しても容易には剥がれず、乳頭を保護し続けることができることが分かる。これに対して試料No.３では、乳の張りによる乳頭の膨張に追随できず、貼付後１日を経ずして脱落した。
【図面の簡単な説明】
【００５９】
【図１】本発明の実施形態１に係る家畜用乳頭保護材料製品の断面図である。
【図２】本発明の実施形態１に係る家畜用乳頭保護材料製品の平面図である。
【図３】実施形態１の乳頭保護材料製品における家畜用乳頭保護材料を牛の乳頭に貼付した様子を表す図である。
【図４】実施形態１の乳頭保護材料を貼付した乳牛の全体図である。
【図５】本発明の実施形態２に係る家畜用乳頭保護材料製品の断面図である。
【図６】本発明の実施形態３に係る家畜用乳頭保護材料製品の平面図である。
【図７】（ａ）は実施形態３における保持テープ、（ｂ）は乳頭保護材料、（ｃ）は離型テープを表す平面図である。
【図８】本発明の実施形態４に係る家畜用乳頭保護材料製品の平面図である。
【図９】（ａ）は実施形態４における保持テープ、（ｂ）は乳頭保護材料、（ｃ）は離型テープを表す平面図である。
【図１０】本発明の実施形態５に係る家畜用乳頭保護材料製品の図であって、（ａ）はその平面図、（ｂ）はＡ−Ａ線断面図である。
【図１１】（ａ）は実施形態５における保持テープ、（ｂ）は乳頭保護材料、（ｃ）は離型テープを表す平面図である。
【符号の説明】
【００６０】
１０  乳頭保護材料
１１  可撓性フィルム
１２  保持テープ
１３  離型テープ
１４  感圧接着剤層
１５  乳頭
１６  乳房
１７  乳頭先端部分
２０，５０，６０，７０  家畜用乳頭保護材料製品
【図１】
2006129795.tif 000004
【図２】
2006129795.tif 000005
【図３】
2006129795.tif 000006
【図４】
2006129795.tif 000007
【図５】
2006129795.tif 000008
【図６】
2006129795.tif 000009
【図７】
2006129795.tif 000010
【図８】
2006129795.tif 000011
【図９】
2006129795.tif 000012
【図１０】
2006129795.tif 000013
【図１１】
2006129795.tif 000014